(57)【要約】【課題】水面に浮遊させながら比較的長い時間回転盤を回転せしめられ、フロートや把持体も回転でき、興趣に富み、取扱い易く、幼児等がより楽しく且つ手軽に遊べ、回転盤に強力な回転力を誰でも簡単に付与でき、しかも、構成簡素で、耐久性に優れ、量産に適し、低廉で、経済的な水上独楽を提供する。【解決手段】フロートＡと回転盤Ｂと把持体Ｃとを備え、フロートＡと回転盤Ｂは、回転盤Ｂの回転力の一部或いは全てがフロートＡに伝達可能となるよう軸５を介して連繋し、回転盤Ｂと把持体Ｃは、回転用ギヤ１６付の軸１５を介して連繋し、ベルト挿通孔２１に挿通した回転用ベルト２５のラック部２６によって回転用ギヤ１６を強制回転できるよう形成すると共に、軸１５を介して回転盤Ｂを強制回転できるよう形成し、フロートＡによって水面を浮遊しながら、回転盤Ｂが水面上方で回転できるよう構成する。【選択図】図１
2009118895.tif 000002
【特許請求の範囲】
【請求項１】
水面に浮遊しながらその一部或いは全てが回転して遊ぶことが可能な水上独楽であって、所定の浮力を有するフロートと、このフロートの上方に正逆回転自在に装着される回転盤と、この回転盤の略中央上方に正逆回転自在に装着される把持体とを備え、フロートと回転盤は、所定の摩擦力によって回転盤の回転力の一部或いは全てがフロートに伝達可能となるように軸を介して連繋され、回転盤には、回転用ギヤが固着された軸が固定され、回転盤と把持体は、前記回転用ギヤ付の軸を介して連繋され、把持体に設けたベルト挿通孔に挿通される回転用ベルトのラック部によって回転用ギヤを強制回転せしめられるよう形成すると共に、軸を介して回転盤を強制回転せしめられるよう形成し、フロートによって水面を浮遊しながら、回転盤が水面上方で回転できるように構成したことを特徴とする水上独楽。
【請求項２】
水面に浮遊しながらその一部或いは全てが回転して遊ぶことが可能な水上独楽であって、所定の浮力を有するフロートと、このフロートの上方に正逆回転自在に装着される回転盤と、この回転盤の略中央上方に正逆回転自在に装着される把持体とを備え、フロートは、底部が略逆円錐状に形成されるフロート基体と、このフロート基体の上部開放部分に接着されてこれを閉塞する蓋体と、この蓋体の下面に接着される略有底円筒状の軸受カップとを有し、回転盤の下部には抜止環が固着された軸が固定されると共に、回転盤の上部には回転用ギヤが固着された軸が固定され、軸受カップは、その底部に設けた挿通穴で抜止環付の軸の下端部分を回転自在に支持すると共に、フロートの蓋体中央に穿設した挿通孔及び抜止環付軸の一部を囲繞するようにしてフロート内への水の浸入を阻止できるように形成され、フロートと回転盤は、所定の摩擦力によって回転盤の回転力の一部或いは全てがフロートに伝達可能となるように抜止環付の軸を介して連繋され、回転盤と把持体は、所定の摩擦力によって回転盤の回転力の一部が把持体に伝達可能となるか、或いは回転盤の回転力が把持体に伝達されないように回転用ギヤ付の軸を介して連繋され、把持体に設けたベルト挿通孔に挿通される回転用ベルトのラック部によって回転用ギヤを強制回転せしめられるよう形成すると共に、軸を介して回転盤を強制回転せしめられるよう形成し、フロートによって水面を浮遊しながら、回転盤が水面上方で回転できるように構成したことを特徴とする水上独楽。
【請求項３】
把持体は、その一部を互換装着自在となるように形成すると共に、その一部を適宜キャラクターのフィギュアで構成したことを特徴とする請求項１または請求項２記載の水上独楽。
【請求項４】
回転盤の表面に、適宜ルーレットの表示、或いは適宜占いの表示、或いは適宜ジャンケンの表示を設け、これらを指示する適宜指示部を把持体に設けたことを特徴とする請求項１または請求項２または請求項３記載の水上独楽。
【発明の詳細な説明】
【技術分野】
【０００１】
本発明は、例えば、水面に浮遊させながらその一部或いは全てを回転せしめられ、興趣に富み、幼児等がより楽しく遊べるように工夫した水上独楽に関するものである。
【背景技術】
【０００２】
従来、この種の水上独楽としては、例えば、特許文献１に示すようなものが提案されている。そして、これは、底面を略球面とした中空円筒体の頂面の中心に芯軸杆を突設し、中空円筒体の上部外周から回転方向に対し前端縁を高く後端縁を低く傾斜させた風受翼片の複数枚を放射状に配列突設し、風受翼片の外周縁を円環で互いに結着して構成したものである。
【０００３】
【特許文献１】実開昭５７−１７０７９６号公報
【発明の開示】
【発明が解決しようとする課題】
【０００４】
ところが、前述のような水上独楽にあっては、水上で回転せしめる場合、中空円筒体と水との接触抵抗が大きいために、手指によって芯軸片を摘んで上手に回転力を付与できたとしても、長い時間回転させることが難しく、物足りなさを感じてしまう等の難点があった。
【課題を解決するための手段】
【０００５】
そこで、本発明は、前述の如き難点等を解消して、幼児等が水上独楽を水面に浮遊させながら比較的長い時間回転せしめられるようにし、しかも、興趣に富み、取扱い易く、幼児等がより楽しく且つ手軽に遊べるようにし、構成が簡素で、量産に適し、経済的な水上独楽を提供できるようにすべく創出されたもので、請求項１記載の水上独楽にあっては、水面に浮遊しながらその一部或いは全てが回転して遊ぶことが可能な水上独楽であって、所定の浮力を有するフロートＡと、このフロートＡの上方に正逆回転自在に装着される回転盤Ｂと、この回転盤Ｂの略中央上方に正逆回転自在に装着される把持体Ｃとを備え、フロートＡと回転盤Ｂは、所定の摩擦力によって回転盤Ｂの回転力の一部或いは全てがフロートＡに伝達可能となるように軸５を介して連繋され、回転盤Ｂには、回転用ギヤ１６が固着された軸１５が固定され、回転盤Ｂと把持体Ｃは、前記回転用ギヤ１６付の軸１５を介して連繋され、把持体Ｃに設けたベルト挿通孔２１に挿通される回転用ベルト２５のラック部２６によって回転用ギヤ１６を強制回転せしめられるよう形成すると共に、軸１５を介して回転盤Ｂを強制回転せしめられるよう形成し、フロートＡによって水面を浮遊しながら、回転盤Ｂが水面上方で回転できるように構成する手段を採用した。
【０００６】
また、請求項２記載の水上独楽にあっては、水面に浮遊しながらその一部或いは全てが回転して遊ぶことが可能な水上独楽であって、所定の浮力を有するフロートＡと、このフロートＡの上方に正逆回転自在に装着される回転盤Ｂと、この回転盤Ｂの略中央上方に正逆回転自在に装着される把持体Ｃとを備え、フロートＡは、底部が略逆円錐状に形成されるフロート基体１と、このフロート基体１の上部開放部分に接着されてこれを閉塞する蓋体２と、この蓋体２の下面に接着される略有底円筒状の軸受カップ７とを有し、回転盤Ｂの下部には抜止環６が固着された軸５が固定されると共に、回転盤Ｂの上部には回転用ギヤ１６が固着された軸１５が固定され、軸受カップ７は、その底部に設けた挿通穴８で抜止環６付の軸５の下端部分を回転自在に支持すると共に、フロートＡの蓋体２中央に穿設した挿通孔４及び抜止環６付軸５の一部を囲繞するようにしてフロートＡ内への水の浸入を阻止できるように形成され、フロートＡと回転盤Ｂは、所定の摩擦力によって回転盤Ｂの回転力の一部或いは全てがフロートＡに伝達可能となるように抜止環６付の軸５を介して連繋され、回転盤Ｂと把持体Ｃは、所定の摩擦力によって回転盤Ｂの回転力の一部が把持体Ｃに伝達可能となるか、或いは回転盤Ｂの回転力が把持体Ｃに伝達されないように回転用ギヤ１６付の軸１５を介して連繋され、把持体Ｃに設けたベルト挿通孔２１に挿通される回転用ベルト２５のラック部２６によって回転用ギヤ１６を強制回転せしめられるよう形成すると共に、軸１５を介して回転盤Ｂを強制回転せしめられるよう形成し、フロートＡによって水面を浮遊しながら、回転盤Ｂが水面上方で回転できるように構成する手段を採用した。
【０００７】
更に、請求項３記載の水上独楽にあっては、把持体Ｃは、その一部を互換装着自在となるように形成すると共に、その一部を適宜キャラクターのフィギュアで構成する手段を採用した。
【０００８】
そして、請求項４記載の水上独楽にあっては、回転盤Ｂの表面に、適宜ルーレットの表示、或いは適宜占いの表示、或いは適宜ジャンケンの表示を設け、これらを指示する適宜指示部を把持体Ｃに設ける手段を採用した。
【発明の効果】
【０００９】
従って、請求項１の水上独楽によれば、フロートＡによって水上独楽を水面に浮遊させながら、水面上方にある回転盤Ｂを比較的長い時間回転せしめられるようになる。
すなわち、興趣に富み、取扱い易く、幼児等がより楽しく且つ手軽に遊べるような水上独楽となる。
しかも、構成が簡素で、耐久性に優れ、量産に適し、経済的な水上独楽を提供できるようになる。
【００１０】
そして、把持体Ｃを一方の手指で摘むと共に、回転用ベルト２５を他方の手指で摘んで引くだけで、回転盤Ｂに強力な回転力を誰でも簡単に付与できるようになる。
【００１１】
加えて、フロートＡと回転盤Ｂは、所定の摩擦力によって回転盤Ｂの回転力の一部或いは全てがフロートＡに伝達可能となるように抜止環６付の軸５を介して連繋されるので、回転盤Ｂの回転力の一部或いは全てをフロートＡに伝達して、回転盤Ｂが回転しながら、フロートＡも水面で回転させることができるようになり、より興趣に富むものとなる。
特に、回転盤Ｂの回転力の一部がフロートＡに伝達可能となるように軸５を介して連繋した場合は、回転盤Ｂを比較的速く且つ長く回転せしめられるようになると共に、フロートＡを比較的遅く回転せしめられるようになり、フロートＡによって水面をゆっくり回転しながら浮遊するようになり、回転盤Ｂは水面上方で速く且つ長く回転していられるようになる。或いは、回転盤Ｂの回転力の全てがフロートＡに伝達可能となるように軸５を介して連繋された場合は、フロートＡと回転盤Ｂを比較的速く回転せしめられるようになり、フロートＡによって水面を比較的速く回転しながら浮遊するようになる。すなわち、フロートＡと回転盤Ｂの連繋状態により、水上独楽の動作が異なるようになり、興趣に富むものとなる。
それから、回転盤Ｂの略中央上方に把持体Ｃを正逆回転自在に装着してあるので、把持体Ｃも回転でき、フロートＡや回転盤Ｂの動作と合せて、水上独楽がより興趣に富むものとなる。
【００１２】
また、請求項２の水上独楽によれば、フロートＡによって水上独楽を水面に浮遊させながら、水面上方にある回転盤Ｂを比較的長い時間回転せしめられるようになる。
すなわち、興趣に富み、取扱い易く、幼児等がより楽しく且つ手軽に遊べるような水上独楽となる。
しかも、構成が簡素で、耐久性に優れ、量産に適し、経済的な水上独楽を提供できるようになる。
【００１３】
そして、把持体Ｃを一方の手指で摘むと共に、回転用ベルト２５を他方の手指で摘んで引くだけで、回転盤Ｂに強力な回転力を誰でも簡単に付与できるようになる。
【００１４】
特に、フロートＡは、フロート基体１と、このフロート基体１の上部開放部分に接着されてこれを閉塞する蓋体２と、この蓋体２の下面に接着される略有底円筒状の軸受カップ７とを有し、軸受カップ７は、その底部に設けた挿通穴８で抜止環６付の軸５の下端部分を回転自在に支持すると共に、フロートＡの蓋体２中央に穿設した挿通孔４及び抜止環６付軸５の一部を囲繞するようにしてフロートＡ内への水の浸入を阻止できるように形成されるので、挿通孔４から水が浸入したとしても軸受カップ７内で止まり、フロートＡ内に水が浸入するのを確実に防止できるようになり、所定の浮力を確保でき、水上独楽が水中に沈んでしまう虞のないものとなる。
しかも、フロート基体１は、底部が略逆円錐状に形成されているので、水上独楽を床上等でも回転させることができるようになる。
【００１５】
加えて、フロートＡと回転盤Ｂは、所定の摩擦力によって回転盤Ｂの回転力の一部或いは全てがフロートＡに伝達可能となるように抜止環６付の軸５を介して連繋されるので、回転盤Ｂの回転力の一部或いは全てをフロートＡに伝達して、回転盤Ｂが回転しながら、フロートＡも水面で回転させることができるようになり、より興趣に富むものとなる。
しかも、回転盤Ｂの回転力の一部がフロートＡに伝達可能となるように軸５を介して連繋した場合は、回転盤Ｂを比較的速く且つ長く回転せしめられるようになると共に、フロートＡを比較的遅く回転せしめられるようになり、フロートＡによって水面をゆっくり回転しながら浮遊するようになり、回転盤Ｂは水面上方で速く且つ長く回転していられるようになる。或いは、回転盤Ｂの回転力の全てがフロートＡに伝達可能となるように軸５を介して連繋された場合は、フロートＡと回転盤Ｂを比較的速く回転せしめられるようになり、フロートＡによって水面を比較的速く回転しながら浮遊するようになる。すなわち、フロートＡと回転盤Ｂの連繋状態により、水上独楽の動作が異なるようになり、興趣に富むものとなる。
それから、回転盤Ｂと把持体Ｃは、所定の摩擦力によって回転盤Ｂの回転力の一部が把持体Ｃに伝達可能となるか、或いは回転盤Ｂの回転力が把持体Ｃに伝達されないように回転用ギヤ１６付の軸１５を介して連繋されるので、把持体Ｃが回転盤Ｂと異なった動作をするようになり、フロートＡの動作と合せて、水上独楽がより興趣に富むものとなる。
【００１６】
更に、請求項３の水上独楽によれば、適宜キャラクターのフィギュアで構成した把持体Ｃの一部を互換装着することにより、より興趣に富む水上独楽となる。
【００１７】
そして、請求項４の水上独楽によれば、把持体Ｃに設けた適宜指示部により、回転する回転盤Ｂの表面に設けた適宜ルーレットの表示、或いは適宜占いの表示、或いは適宜ジャンケンの表示を適宜指示できることとなり、複数の人数でも楽しめる興趣に富む水上独楽となる。
【発明を実施するための最良の形態】
【００１８】
以下、本発明を説明すると、次の通りである。
本発明の水上独楽は、水面に浮遊しながらその一部或いは全てが回転して遊ぶことが可能なものであって、所定の浮力を有するフロートＡと、このフロートＡの上方に正逆回転自在に装着される回転盤Ｂと、この回転盤Ｂの略中央上方に正逆回転自在に装着される把持体Ｃと、回転盤Ｂを強制回転せしめる回転用ベルト２５とを備えたものである。
そして、フロートＡと回転盤Ｂは、所定の摩擦力によって回転盤Ｂの回転力の一部或いは全てがフロートＡに伝達可能となるように軸５を介して連繋されている。
また、回転盤Ｂには、回転用ギヤ１６が固着された軸１５が固定されている。
更に、回転盤Ｂと把持体Ｃは、前記回転用ギヤ１６付の軸１５を介して連繋され、把持体Ｃに設けたベルト挿通孔２１に挿通される回転用ベルト２５のラック部２６によって回転用ギヤ１６を強制回転せしめられるよう形成すると共に、軸１５を介して回転盤Ｂを強制回転せしめられるよう形成し、フロートＡによって水面を浮遊しながら、回転盤Ｂが水面に接触することなく、その上方でスムーズに回転できるように構成されている。
【実施例】
【００１９】
それから、図示例の水上独楽について詳しく説明すると、フロートＡは、底部が略逆円錐状に形成されるフロート基体１と、このフロート基体１の上部開放部分に接着されてこれを閉塞する蓋体２と、この蓋体２の下面に接着される略有底円筒状の軸受カップ７とを有するものとなっている。
更に、回転盤Ｂの下部には抜止環６が固着された軸５が固定されると共に、回転盤Ｂの上部には回転用ギヤ１６が固着された軸１５が固定されている。
そして、軸受カップ７は、その底部に設けた挿通穴８で抜止環６付の軸５の下端部分を回転自在に支持すると共に、フロートＡの蓋体２中央に穿設した挿通孔４及び抜止環６付軸５の一部を囲繞するようにしてフロートＡ内への水の浸入を阻止できるように形成されている。
また、フロートＡと回転盤Ｂは、所定の摩擦力によって回転盤Ｂの回転力の一部或いは全てがフロートＡに伝達可能となるように抜止環６付の軸５を介して連繋され、回転盤Ｂと把持体Ｃは、所定の摩擦力によって回転盤Ｂの回転力の一部が把持体Ｃに伝達可能となるか、或いは回転盤Ｂの回転力が把持体Ｃに伝達されないように回転用ギヤ１６付の軸１５を介して連繋されている。
それから、把持体Ｃに設けたベルト挿通孔２１に挿通される回転用ベルト２５のラック部２６によって回転用ギヤ１６を強制回転せしめられるよう形成すると共に、軸１５を介して回転盤Ｂを強制回転せしめられるよう形成し、フロートＡによって水面を浮遊しながら、回転盤Ｂが水面上方で回転できるように構成されている。
【００２０】
ところで、把持体Ｃは、図５に示すように、その一部を互換装着自在となるように形成すると共に、その一部を適宜キャラクターのフィギュアで構成しても良い。
【００２１】
加えて、回転盤Ｂの表面には、図４に示すように、適宜ルーレットの表示、或いは適宜占いの表示、或いは適宜ジャンケンの表示を設け、これらを指示する適宜指示部を把持体Ｃに設けても良い。
【００２２】
前記フロートＡは、例えば、適宜合成樹脂材によって略中空体状に形成され、水面に安定的に浮遊させることもできるし、床面等の上でも安定的に且つスムーズに回転せしめられるように形成されている。
尚、フロートＡ内には、その浮遊状態を安定させるための錘等を適宜位置に配することもできる。また、フロートＡは、その回転中に生じるジャイロ効果（回転盤Ｂの回転中に生じるジャイロ効果も含む）が作用しているときは、水面に安定的に浮遊していられるように形成し、その回転が停止したとき（回転盤Ｂの回転が停止したとき）には、把持体Ｃが水面に接触したり或いは水面内に潜るようになって、水上独楽自体が大きく傾いてしまうように形成しても良い。すなわち、複数の水上独楽を同時に回転せしめて、その回転時間を競うようにした場合、水上独楽の回転停止状態が明らかに判断できるように形成しても良い。
【００２３】
更に、フロートＡ内には、例えば、その回転中（或いは浮遊安定状態にあるとき）にこれを検出して適宜音を発生するような音発生機構を内蔵しておいても良い。更に、フロートＡ内には、その回転中（或いは浮遊安定状態にあるとき）にこれを検出して適宜光を発生するような光発生機構を内蔵しておいても良い。
【００２４】
前記フロート基体１は、例えば、適宜合成樹脂材で形成され、その上部が略円筒状を呈すると共に、その下部が略逆円錐状を呈する上部が開放されている略容器状に形成されている。尚、このフロート基体１は、水面に浮遊させたときに十分な浮力を発生できると共に、浮遊状態が安定し、しかも、水面に対して回転する際の抵抗が少なく、床面等の上でもスムーズに回転できるようにしたものが好ましい。
【００２５】
前記蓋体２は、例えば、適宜合成樹脂材で形成され、その中央部分に凹部３を有する略円板状に形成されている。そして、フロート基体１の上部開口部分に接着（例えば、超音波接着）されて、フロートＡが中空体状となって十分な浮力が得られるよう形成されている。
【００２６】
前記凹部３は、例えば、略逆円錐台状に形成され、その底壁中央には、抜止環６付の軸５が回転自在に挿通できるような挿通孔４が穿設されている。尚、挿通孔４は、抜止環６付の軸５との摩擦が低減されて、軸５がスムーズに回転できるように形成されたものであれば良い。
【００２７】
前記軸５は、例えば、金属製の丸棒状に形成され、その上部が挿通孔４に挿通されると共に、その上端部分が回転盤Ｂの下面に突設した軸受部１１の固定穴１２に圧入固定されている。一方、軸５の下端部は、軸受カップ７の挿通穴８に回転自在に支持されるようになる。
【００２８】
前記抜止環６は、例えば、適宜金属材や、合成樹脂材や、複合材等によって略厚肉円環状に形成され、軸５の軸心方向略中央部分に固着されている。そして、凹部３の底壁下方に配されて、軸５が挿通孔４から抜けないように形成されている。尚、抜止環６は、凹部３の底壁下面に接触せず、軸５がスムーズに回転できるように形成されている。
【００２９】
前記軸受カップ７は、例えば、適宜合成樹脂材によって略有底円筒状に形成され、その底壁上面部分に抜止環６付の軸５の下端部分を回転自在に支持する挿通穴８が形成されている。そして、軸受カップ７の上端開口部分が蓋体２の凹部３底壁下面に接着できるように形成されている。すなわち、軸受カップ７は、その底部に設けた挿通穴８で抜止環６付の軸５の下端部分をスムーズに且つ安定的に回転できるよう支持している。加えて、蓋体２の凹部３底壁中央に穿設した挿通孔４及び抜止環６付の軸５の下部を囲繞できるように形成されており、挿通孔４から水が浸入しても、軸受カップ７内で止まり、それ以上フロートＡ内に水が浸入するのを確実に防止できるよう配慮されている。
【００３０】
前記回転盤Ｂは、例えば、適宜合成樹脂材によって略円盤状に形成され、略円板状の盤基体１０と、この盤基体１０の下面中央部分に下方に向って突設される軸受部１１とで構成されている。尚、盤基体１０下面は、前記フロートＡの上面に接触することなく、僅かに離れた状態に配置され、回転盤ＢがフロートＡに対して摩擦抵抗が少なくよりスムーズに回転できるように形成してある。
【００３１】
そして、盤基体１０の上面には、例えば、適宜模様や、適宜キャラクター及びキャラクターに関連する図柄や、適宜ルーレットの表示や、適宜占いの表示や、適宜ジャンケンの表示等が設けられ、綺麗で楽しく遊べ、或いはゲーム等もできるように構成される。尚、これらの模様や図柄は、例えば、プリントされたシールを盤基体１０上面に接着することで設けても良い。
【００３２】
前記軸受部１１は、例えば、凹部３内に収まるような略短円柱状に形成され、その下部には、軸５上端部が嵌入固定される固定穴１２が穿設されている。また、盤基体１０及び軸受部１１上部に跨るように、軸１５下端部が嵌入固定される固定穴１３が穿設されている。尚、軸受部１１下面は、前記凹部３底壁の上面に接触することなく、僅かに離れた状態に配置され、回転盤ＢがフロートＡに対して摩擦抵抗が少なくよりスムーズに回転できるように形成してある。
また、軸５と軸１５とを一本の軸で構成した場合は、固定穴１２と固定穴１３は、一つの貫通孔となる。
【００３３】
ところで、盤基体１０には、前記音発生機構の一部を配しても良いし、或いは、適宜パーツ（例えば、外観上の体裁を良くするようなオプションパーツや、把持体Ｃのフィギュアに関連するようなアイテムパーツや、回転盤Ｂの回転時に相手を威嚇するようなバトルパーツ等）を着脱自在に装着できるように形成しても良い。
【００３４】
前記軸１５は、例えば、金属製の丸棒状に形成され、その下端部が盤基体１０の固定穴１３に圧入固定されている。一方、軸１５の上端部は、把持体Ｃに回転自在に支持されるよう形成されている。尚、軸１５は、前記軸５と一体的に形成したものであっても良い。
【００３５】
前記回転用ギヤ１６は、例えば、適宜金属材や、合成樹脂材や、複合材等によって略ピニオン状に形成され、軸１５の軸心方向略中央部分に固着されている。そして、把持体Ｃの底壁と中間壁で挟まれるように配されて、軸１５から把持体Ｃが逸脱しないように形成されている。
【００３６】
前記把持体Ｃは、例えば、適宜合成樹脂材によって適宜形態に形成できるもので、軸１５に回転自在に装着される基部と、この基部の上方に配される把持部２０とからなる。
そして、基部は、例えば、一対の左右半割体を接合することで形成され、また、この基部には、一対のベルト挿通孔２１が穿設されて、回転用ベルト２５のラック部２６を有する部分がスムーズに挿通できると共に、ラック部２６が回転用ギヤ１６に確実に歯合できるように形成されている。尚、基部は、軸１５に対して摩擦抵抗が少なくよりスムーズに回転できるように形成してあり、基部の下面は、前記盤基体１０の上面に接触することなく、僅かに離れた状態に配置され、把持体Ｃが回転盤Ｂに対して摩擦抵抗が少なく（或いはできる限り少なく）よりスムーズに回転できるように形成してある。
【００３７】
把持部２０は、手指で摘み易く形成されたものであれば良く、その表面には、例えば、適宜模様や、適宜キャラクター及びキャラクターに関連する図柄等を表示しても良い。
ところで、盤基体１０に適宜ルーレットの表示や、適宜占いの表示や、適宜ジャンケンの表示等を設けた場合は、これらを指示する適宜指示部を把持体Ｃに設けても良い（図４参照）。
尚、把持体Ｃは、所定の摩擦力によって回転盤Ｂの回転力の一部が把持体Ｃに伝達可能となるか、或いは回転盤Ｂの回転力が把持体Ｃに伝達されない（摩擦力をできる限り小さくする）ように回転用ギヤ１６付の軸１５を介して連繋されており、把持体Ｃは、回転盤ＢやフロートＡと異なった動作をさせることが可能で、より興趣に富む動作を期待できるよう形成されている。しかも、回転している把持体Ｃに不意の外力が加えられても、この外力を受け流せ、把持体Ｃ自体が損傷し難いものとなるように形成されている。
【００３８】
また、把持体Ｃの把持部２０（或いは、把持部２０の一部）を、基部（或いは、把持部２０の残り部分）に対して互換装着可能となるように構成しても良い（図５参照）。このとき、把持部２０（或いは、把持部２０の一部）は、例えば、適宜キャラクターのフィギュアで構成し、幼児等がより楽しめるような、興趣に富むものとすることができる。尚、互換装着手段としては、例えば、適宜突起と、この突起が嵌脱自在となるような穴とで構成しても良いし、その他適宜手段を採用できるものである。
【００３９】
前記回転用ベルト２５は、例えば、適宜合成樹脂材によって形成され、その長尺ベルト部分の片面には、回転用ギヤ１６に歯合可能なラック部２６が配されている。
【００４０】
ところで、水上独楽の具体的構成、形状、寸法、材質、フロートＡの具体的構成、形状、寸法、材質、フロート基体１の具体的構成、形状、寸法、材質、蓋体２の具体的構成、形状、寸法、材質、フロート基体１への接着手段、凹部３の具体的構成、形状、寸法、挿通孔４の具体的構成、形状、寸法、軸５の具体的構成、形状、寸法、材質、蓋体２への具体的固定手段、抜止環６の具体的構成、形状、寸法、材質、配設位置、軸受カップ７の具体的構成、形状、寸法、材質、挿通穴８の具体的構成、形状、寸法、回転盤Ｂの具体的構成、形状、寸法、材質、盤基体１０の具体的構成、形状、寸法、材質、軸受部１１の具体的構成、形状、寸法、材質、固定穴１２の具体的構成、形状、寸法、固定穴１３の具体的構成、形状、寸法、軸１５の具体的構成、形状、寸法、材質、蓋体２への具体的固定手段、回転用ギヤ１６の具体的構成、形状、寸法、材質、把持体Ｃの具体的構成、形状、寸法、材質、基部の具体的構成、形状、寸法、材質、把持部２０の具体的構成、形状、寸法、材質、ベルト挿通孔２１の具体的構成、形状、寸法、配設位置、数、回転用ベルト２５の具体的構成、形状、寸法、材質、ラック部２６の具体的構成、形状、寸法等は、図示例のもの等に限定されることなく適宜自由に設定、変更できるものである。
【図面の簡単な説明】
【００４１】
【図１】本発明の水上独楽を例示する分解斜視図である。
【図２】本発明の水上独楽を例示する縦断面図である。
【図３】本発明の水上独楽を例示する一部切欠平面図である。
【図４】本発明の他の水上独楽を例示する平面図である。
【図５】本発明の他の水上独楽を例示する縦断面図である。
【符号の説明】
【００４２】
Ａ      フロート
１      フロート基体
２      蓋体
３      凹部
４      挿通孔
５      軸
６      抜止環
７      軸受カップ
８      挿通穴
Ｂ      回転盤
１０    盤基体
１１    軸受部
１２    固定穴
１３    固定穴
１５    軸
１６    回転用ギヤ
Ｃ      把持体
２０    把持部
２１    ベルト挿通孔
２５    回転用ベルト
２６    ラック部
【図１】
2009118895.tif 000003
【図２】
2009118895.tif 000004
【図３】
2009118895.tif 000005
【図４】
2009118895.tif 000006
【図５】
2009118895.tif 000007